(57)【特許請求の範囲】
【請求項１】
セメントを含有する洗浄廃水を、瀘過水と瀘過後残留物とに分離できるようにしたセメント含有廃水用処理装置であって、上部に設けた処理タンクと、この処理タンク下方に配される第１瀘過部と、この第１瀘過部の下方に配される第２瀘過部と、この第２瀘過部の下方に配される集水部とを備え、処理タンクは、その底部に複数の排出筒が形成され、第１瀘過部は、旋回自在に設けられて排出筒夫々の下方に配置可能となる複数の支持籠と、この支持籠夫々で支持されると共に、その口部が排出筒に装着自在な複数の瀘過袋とを有し、第２瀘過部は、瀘過袋で瀘過された瀘過水を更にフィルターで瀘過して集水部に送れるように構成したことを特徴とするセメント含有廃水用処理装置。
【請求項２】
処理タンクに確認窓部を設けて、処理タンク内を視認できるように形成し、処理タンクに適宜排水手段を設けて、処理タンク内の洗浄廃液の沈殿による上澄み水を処理タンク外に排出できるように構成したことを特徴とする請求項１記載のセメント含有廃水用処理装置。
【発明の詳細な説明】
【０００１】
【発明の属する技術分野】
本発明は、例えば、コンクリート、モルタル吹付機や、コンクリート、モルタルミキサー等を水で洗浄したときに生じるセメントを含有する洗浄廃水を、瀘過水と瀘過後残留物とに能率良く且つ迅速に分離して処理できるように工夫したセメント含有廃水用処理装置に関するものである。
【０００２】
【従来の技術】
従来、この種のセメント含有廃水用処理装置にあっては、例えば、セメントを含有する洗浄廃水を沈殿槽に入れて、沈殿水と沈殿残留物とに分離処理できるようにしたもの等が利用されている。
【０００３】
【発明が解決しようとする課題】
ところが、例えば、コンクリート、モルタル吹付機や、コンクリート、モルタルミキサー等を洗浄すると多量の洗浄廃水が生じ、しかも、洗浄廃水中の沈殿残留物も比較的多く生じることとなり、比較的重量のある沈殿残留物の処理が能率的に且つ迅速に行い難い等の難点があった。
【０００４】
【課題を解決するための手段】
そこで、本発明は、前述の如き難点等を解消できるようにすると共に、多量の洗浄廃水を瀘過水と瀘過後残留物と確実に、スムーズに、且つ迅速に分離処理でき、使い勝手に優れ、瀘過後残留物の処理等が行い易く、しかも、構成が簡素で、耐久性に優れ、経済的なセメント含有廃水用処理装置を提供できるようにすべく創出されたもので、請求項１記載のセメント含有廃水用処理装置にあっては、セメントを含有する洗浄廃水を、瀘過水と瀘過後残留物とに分離できるようにしたセメント含有廃水用処理装置であって、上部に設けた処理タンク２と、この処理タンク２下方に配される第１瀘過部と、この第１瀘過部の下方に配される第２瀘過部と、この第２瀘過部の下方に配される集水部とを備え、処理タンク２は、その底部に複数の排出筒５が形成され、第１瀘過部は、旋回自在に設けられて排出筒５夫々の下方に配置可能となる複数の支持籠１０と、この支持籠１０夫々で支持されると共に、その口部が排出筒５に装着自在な複数の瀘過袋１３とを有し、第２瀘過部は、瀘過袋１３で瀘過された瀘過水を更にフィルター１６で瀘過して集水部に送れるように構成する手段を採用した。
【０００５】
また、請求項２記載のセメント含有廃水用処理装置にあっては、処理タンク２に確認窓部３を設けて、処理タンク２内を視認できるように形成し、処理タンク２に適宜排水手段を設けて、処理タンク２内の洗浄廃液の沈殿による上澄み水を処理タンク２外に排出できるように構成する手段を採用した。
【０００６】
【発明の実施の形態】
以下、本発明を図示例に基づいて説明すると、次の通りである。
本発明は、例えば、コンクリート、モルタル吹付機や、コンクリート、モルタルミキサー等を利用した後、吹付機やミキサー内に残ったコンクリート、モルタル等を落とすべく水で洗浄するが、このときに生じるセメントを含有する洗浄廃水を、廃棄可能となる程度に瀘過された瀘過水と、瀘過後残留物（例えば、セメント成分、砂、砂利、その他骨材等）とに分離して処理できるようにしたセメント含有廃水用処理装置である。
【０００７】
そして、このセメント含有廃水用処理装置は、例えば、適宜型材等によって構成されるフレーム１と、このフレーム１の上部に固定される上部が開放された処理タンク２と、この処理タンク２下方に配される第１瀘過部と、この第１瀘過部の下方に配される第２瀘過部と、この第２瀘過部の下方に配される集水部とを備えたものである。すなわち、処理タンク２内に入れられる洗浄廃水を、第１瀘過部によって、瀘過水と、瀘過後残留物とに分離し、更に、この瀘過水を、第２瀘過部によって、廃棄可能となる程度に瀘過された瀘過水と、比較的細かな瀘過後残留物とに分離し、この瀘過水を、集水部で集められるようにしたものである。
【０００８】
前記フレーム１は、例えば、適宜型材等によって処理タンク２を安定的に支えられるような略直方枠状に構成されている。尚、フレーム１の具体的構成、形状、寸法、材質等は、図示例のもの等に限定されることなく適宜自由に設定、変更できるものである。
【０００９】
また、処理タンク２は、上部が開放された比較的大きな略直方容器状に形成され、その底壁部分には、略短円筒状の複数（例えば、８個）の排出筒５が二列（例えば、４個宛二列）に連設されており、処理タンク２内に入れられた洗浄廃水が、複数の排出筒５によって下方にスムーズに排出できるように構成されている。しかも、処理タンク２の底壁は、洗浄廃水中のセメント成分や、砂や、砂利や、その他骨材等が残らないように、各排出筒５に向って夫々傾斜するような複数の傾斜面で構成されるようになる。尚、図４乃至図７に示す処理タンク２にあっては、その底壁中央部分に、二列の排出筒５を一列宛に分けるような略山形状の仕切部６を設け、処理タンク２内に入れられた洗浄廃水が、各排出筒５部分に集まり易くなるように構成してある。ところで、処理タンク２の具体的構成、形状、寸法、材質、フレーム１への装着手段、底壁の具体的な構成、形状、排出筒５の具体的構成、形状、寸法、材質、数、配設位置、仕切部６の具体的構成、形状、寸法、材質、配設位置等は、図示例のもの等に限定されることなく適宜自由に設定、変更できるものである。
【００１０】
更に、処理タンク２の側壁下部には、処理タンク２内の洗浄廃水を視認できるような透明となる確認窓部３が設けられている。しかも、処理タンク２の側壁下部には、適宜排水手段が設けられており、この適宜排水手段は、処理タンク２内に入れられた洗浄廃液の沈殿によるに上澄み水を処理タンク２外に排出できるように構成されたものである。すなわち、第１瀘過部及び第２瀘過部によって瀘過している間に、処理タンク２内の洗浄廃液が沈殿による上澄み水となったことを確認窓部３で確認できたときに、この上澄み水を処理タンク２外に排出して、洗浄廃液の処理がより能率的に且つ迅速に行えるように構成されている。
ところで、この排水手段は、例えば、単なるバルブで構成した排出バルブ４ａであっても良いし（図１乃至図３参照）、或いは、その基端部分が処理タンク２の側壁下部に連通状態で装着されると共に、上下方向に揺動自在となるように設けられた排水用揺動パイプ４ｂによって構成したものであっても良い（図４乃至図６参照）。すなわち、この排水用揺動パイプ４ｂは、その先端が上方に位置しているときには、処理タンク２内の上澄み水が排出されず、排水用揺動パイプ４ｂを下方に揺動させてその先端が下方に位置しているときには、処理タンク２内の上澄み水が排出されるようになる。
尚、確認窓部３の具体的構成、形状、寸法、材質、処理タンク２への装着手段、配設位置、数、排水手段の具体的構成、形状、寸法、材質、配設位置、数、排出バルブ４ａの具体的構成、形状、寸法、材質、配設位置、数、処理タンク２への具体的装着手段、排水用揺動パイプ４ｂの具体的構成、形状、寸法、材質、配設位置、数、処理タンク２への具体的装着手段等は、図示例のもの等に限定されることなく適宜自由に設定、変更できるものである。
【００１１】
第１瀘過部は、支持腕１１及び支持マスト１２を介して旋回自在に設けられて、排出筒５の下方と処理タンク２の外方とに夫々配置可能となるように配される複数の支持籠１０と、この支持籠１０夫々で支持されると共に、その口部が排出筒５に装着自在な複数の瀘過袋１３とを備えている。そして、支持籠１０は、例えば、適宜金属線材等によって略籠状に形成されると共に、瀘過袋１３を安定的に支持できるように形成され、その胴部側方に支持腕１１が突設されており、この支持腕１１基端部分が、フレーム１に固定されている略円筒状の支持マスト１２の上端部分に水平回転自在となるように形成されている。すなわち、比較的重量のある瀘過後残留物が収容される瀘過袋１３を、支持籠１０の旋回操作によって処理タンク２の側方に容易に移動せしめられるようにして、支持籠１０から瀘過袋１３を取出し易くし、その取扱いを容易にすると共に、能率の良い処理が可能となるように構成されている。
しかも、前記瀘過袋１３は、例えば、土嚢袋のようなものが利用され、ある程度大きな瀘過後残留物を瀘過できると共に、ある程度重い瀘過後残留物を入れた状態にも耐えられるような強度を備えたものが利用される。また、瀘過袋１３の口部は、排出筒５に外装されると共に、適宜緊締手段等によって着脱自在に装着できるように形成される。
尚、支持籠１０の具体的構成、形状、寸法、材質、数、配設位置、支持腕１１の具体的構成、形状、寸法、材質、支持籠１０への固着手段、支持マスト１２の具体的構成、形状、寸法、材質、配設位置、瀘過袋１３の具体的構成、形状、寸法、材質、数等は、図示例のもの等に限定されることなく適宜自由に設定、変更できるものである。
【００１２】
第２瀘過部は、例えば、複数の排出筒５の下方に配されるフィルター受部１５と、このフィルター受部１５に取外し自在に装着できる（或いは、取外し不能でも良い）適宜構成のフィルター１６とからなり、第１瀘過部（瀘過袋１３）で瀘過された瀘過水を更にフィルター１６で瀘過して、下方の集水部に送れるように構成されている。すなわち、洗浄廃水をより確実に瀘過できるように構成され、瀘過水の処分や再利用等が行い易くなるようにしてある。また、図４、図５、図７に示す第２瀘過部は、例えば、その底部に複数の透孔が穿設されているフィルター受部１５と、このフィルター受部１５の底部の上に取外し容易に載置される適宜フィルター１６とからなり、瀘過袋１３で瀘過された瀘過水を更にフィルター１６で瀘過し、複数の透孔を介して下方の集水部に送れるように構成されている。
ところで、フィルター受部１５は、二列に配された排出筒５に対応して二つに分けてあるが、一つの大きなフィルター受部１５であっても良い。また、前記フィルター１６自体は、フィルター受部１５に簡単に装着、取外しできて、しかも、その清掃（瀘過後残留物の除去）等によって繰り返し再利用できるものが使用される。尚、フィルター受部１５の具体的構成、形状、寸法、配設位置、数、フィルター１６の具体的構成、形状、寸法、材質等は、図示例のもの等に限定されることなく適宜自由に設定、変更できるものである。
【００１３】
集水部は、フィルター受部１５の下方に配される傾斜底板２０と、この傾斜底板２０の下部に配される集水口２１とを備えたもので、フィルター１６で瀘過された瀘過水が集水口２１にスムーズに集まるように構成されている。そして、集水口２１に装着されるホース２２によって、瀘過水の処分、或いは、再利用できるように送られる。
ところで、この集水部の一部には、適宜ポンプ２３が設けられており、集水部の瀘過水をポンプ２３を介して所望場所に迅速に搬送できるように構成されている。
また、集水部の一部上方には、前記排出バルブ４ａの排出口を配してあり、排出バルブ４ａからの上澄み水を直接集水部に排出できるように構成してある。
尚、傾斜底板２０の具体的構成、形状、寸法、材質、傾斜状態、集水口２１の具体的構成、形状、寸法、配設位置、ホース２２の具体的構成、形状、材質、配設位置、ポンプ２３の具体的構成、配設位置、数等は、図示例のもの等に限定されることなく適宜自由に設定、変更できるものである。
【００１４】
本発明のセメント含有廃水用処理装置は、前述の如く構成されており、次に、その使用例について説明すると、例えば、コンクリート、モルタル吹付機や、コンクリート、モルタルミキサー等による作業が終了して、これらに付着したコンクリート、モルタルを水で洗浄し、このときのセメントを含有する洗浄廃水を、処理タンク２内に入れる。
すると、洗浄廃水は、夫々の排出筒５から支持籠１０内に入って、瀘過後残留物は瀘過袋１３内に残り、瀘過水がフィルター受部１５内に落下する。そして、このフィルター受部１５の瀘過水は、フィルター１６によって更に瀘過されて、傾斜底板２０の上に落ちて、集水口２１に集められ、ホース２２を介して、或いは、ポンプ２３を介して瀘過水を所望場所に搬送（或いは、廃棄）する。
ところで、処理タンク２内の洗浄廃水は、瀘過袋１３及びフィルター１６によって連続的に瀘過されて漸次減ると同時に、処理タンク２内の洗浄廃水は、ある程度の時間の経過による沈殿作用によって上澄み水となり、これを確認窓部３で視認してから排出バルブ４ａを開き（或いは、排水用揺動パイプ４ｂを下方に揺動させ）、この上澄み水を処理タンク２外（例えば、集水部）に排出して、洗浄廃液の瀘過処理が迅速に且つ能率良く行えるようにする。
それから、洗浄廃液の瀘過処理が終了すると、排出筒５から瀘過袋１３の口部を外し、支持籠１０を処理タンク２の側方に旋回せしめてから、瀘過袋１３を持ち上げるようにして移動せしめて処分（或いは、再利用）する。また、フィルター１６は、フィルター受部１５から取外されて、清掃（その上面の瀘過後残留物の除去）されて、繰り返し再利用される。
【００１５】
【発明の効果】
従って、請求項１記載のセメント含有廃水用処理装置は、セメントを含有する洗浄廃水を、瀘過水と瀘過後残留物とに分離できるようにしたセメント含有廃水用処理装置であって、上部に設けた処理タンク２と、この処理タンク２下方に配される第１瀘過部と、この第１瀘過部の下方に配される第２瀘過部と、この第２瀘過部の下方に配される集水部とを備え、処理タンク２は、その底部に複数の排出筒５が形成され、第１瀘過部は、旋回自在に設けられて排出筒５夫々の下方に配置可能となる複数の支持籠１０と、この支持籠１０夫々で支持されると共に、その口部が排出筒５に装着自在な複数の瀘過袋１３とを有し、第２瀘過部は、瀘過袋１３で瀘過された瀘過水を更にフィルター１６で瀘過して集水部に送れるように構成したので、例えば、コンクリート、モルタル吹付機や、コンクリート、モルタルミキサー等を水で洗浄したときに生じるセメントを含有する多量の洗浄廃水を、処理タンク２に入れることができ、この処理タンク２内の洗浄廃水は、第１瀘過部で瀘過され、そのとき殆どの瀘過後残留物が第１瀘過部の瀘過袋１３内に残り、そして、瀘過袋１３を通過した瀘過水は、第２瀘過部で更に瀘過され、第２瀘過部のフィルター１６を通過した瀘過水は、集水部に確実に、且つスムーズに送られるようになる。すなわち、多量の洗浄廃水を、瀘過水と瀘過後残留物とに能率良く、且つ迅速に分離して処理できるようになる。しかも、構成が簡素で、耐久性に優れ、経済的なセメント含有廃水用処理装置となる。
【００１６】
特に、処理タンク２は、その底部に複数の排出筒５が形成され、第１瀘過部は、旋回自在に設けられて排出筒５夫々の下方に配置可能となる複数の支持籠１０と、この支持籠１０夫々で支持されると共に、その口部が排出筒５に装着自在な複数の瀘過袋１３とを有するので、比較的重量のある瀘過後残留物が収容されている瀘過袋１３を、支持籠１０の旋回操作によって処理タンク２の側方に容易に移動せしめられるようになり、その取扱いが容易となり、能率の良い、且つ迅速な処理が可能となる。
【００１７】
加えて、第２瀘過部は、瀘過袋１３で瀘過された瀘過水を更にフィルター１６で瀘過して集水部に送れるように構成したので、洗浄廃水をより確実に瀘過できるようになり、瀘過水の処分や再利用等が行い易いものとなる。
【００１８】
また、請求項２記載のセメント含有廃水用処理装置は、処理タンク２に確認窓部３を設けて、処理タンク２内を視認できるように形成し、処理タンク２に適宜排水手段を設けて、処理タンク２内の洗浄廃液の沈殿による上澄み水を処理タンク２外に排出できるように構成したので、確認窓部３を介して処理タンク２内の洗浄廃液の沈殿状態を確実に、且つ簡単に確認できるようになると共に、処理タンク２内の沈殿による洗浄廃液の上澄み水を処理タンク２外に確実に、且つ容易に排出できるようになり、洗浄廃液の瀘過処理が迅速に、且つ能率良く行えるようになる。
【図面の簡単な説明】
【図１】本発明のセメント含有廃水用処理装置を例示する一部切欠側面図である。
【図２】本発明のセメント含有廃水用処理装置を例示する一部切欠正面図である。
【図３】本発明のセメント含有廃水用処理装置を例示する平面図である。
【図４】本発明の他のセメント含有廃水用処理装置を例示する一部切欠側面図である。
【図５】本発明の他のセメント含有廃水用処理装置を例示する一部切欠正面図である。
【図６】本発明の他のセメント含有廃水用処理装置を例示する一部切欠平面図である。
【図７】本発明の他のセメント含有廃水用処理装置を例示する部分縦断側面図である。
【符号の説明】
１      フレーム                      ２      処理タンク
３      確認窓部                      ４ａ    排出バルブ
４ｂ    排水用揺動パイプ
５      排出筒                        ６      仕切部
１０    支持籠                        １１    支持腕
１２    支持マスト                    １３    瀘過袋
１５    フィルター受部                １６    フィルター
２０    傾斜底板                      ２１    集水口
２２    ホース                        ２３    ポンプ
【図１】
0003624400.tif 000002
【図２】
0003624400.tif 000003
【図３】
0003624400.tif 000004
【図４】
0003624400.tif 000005
【図５】
0003624400.tif 000006
【図６】
0003624400.tif 000007
【図７】
0003624400.tif 000008